(57)【要約】      （修正有）【課題】ネジ釘を安定して結合し、異なる軸径規格のネジ釘に対して適用可能な連結雌ネジ釘構造を提供する。【解決手段】プラスチック製の連結雌ネジ釘３０にネジ釘４０を差し込むために下向きに延長する円形孔壁を形成した雌ネジ孔３１を複数設け、該円形孔壁の端部には下から上に向けてその幅を縮小した内向凹形円弧壁が複数形成する。これらの内向凹形円弧壁が囲む空間の径を差し込むネジ釘桿直径より小さくすることにより、該雌ネジ孔にねじ込まれたネジ釘に対して、その反発力によりネジ釘をしっかりと挟持し、ネジ釘を連結雌ネジ釘上に安定して固定する。【選択図】図４
0003159941.tif 000002
【実用新案登録請求の範囲】
【請求項１】
プラスチック材から成型した帯状体に等間隔にネジ釘を差し込む雌ネジ孔を複数設置し、該雌ネジ孔は下向きに延長した円形孔壁を構成し、該円形孔壁には上から下へ延長するスリットが複数形成された連結雌ネジ釘構造において、
該円形孔壁端部には、孔壁内方に向けて突出すると共に下から上に向けて幅を縮小した内向凹形円弧壁が複数設けられ、該複数の内向凹形円弧壁の囲む空間の径を差し込むネジ釘桿直径より小さくすることにより、
該内向凹形円弧壁により挿入されたネジ釘から受ける外向きの力に反発する弾性を備えた夾持部を構成し、
該内向凹形円弧壁に挿入されたネジ釘を挟持、結合するようにしたことを特徴とする連結雌ネジ釘構造。
【請求項２】
前記円形孔壁は、内孔壁上半部に上から下方へ延長した凸条を複数設置したことを特徴とする請求項１記載の連結雌ネジ釘構造。
【考案の詳細な説明】
【技術分野】
【０００１】
本考案は、連結雌ネジ釘構造に関するもので、特にネジ釘を更に安定して固定する連結雌ネジ釘構造に係わる。
【背景技術】
【０００２】
図１から図３に示すとおり、公知の連結雌ネジ釘１０は、プラスチック材で成型された帯状体で、該連結雌ネジ釘１０には等距離で複数個のネジ釘２０を差し込む雌ネジ孔１１が設置される。該雌ネジ孔１１は、下向きに伸びる円形孔壁１２で、該円形孔壁１２には上から下へ伸びるスリット１３が複数設置される。これらにより、ネジ釘２０を連結雌ネジ釘１０に結合し、電動工具のネジ止め作業を行う。
【０００３】
上述の公知の連結雌ネジ釘１０は、円形孔壁１２でネジ釘２０を覆って支持し、ネジ釘２０を連結雌ネジ釘１０に安定して結合する。しかしながら、ネジ釘２０を使用する際、連結雌ネジ釘１０から容易に脱落しやすい。それは円形孔壁１２の壁厚が上から下へ向かって徐々に薄くなっているからであり、円形孔壁１２の外孔壁は円錐形状を形成している。更に、円形孔壁１２端部は最も薄く、円形孔壁１２端部はネジ釘２０を覆って支持することができず、このためネジ釘２０は連結雌ネジ釘１０に安定して結合し、スムーズに後続のネジ止め作業を行うことができない。
【０００４】
更に、成型後の円形孔壁１２のサイズは固定であり、特に円形孔壁１２の端部はネジ釘２０をしっかりと覆って支持しなければならないため、公知の連結雌ネジ釘１０は単一の軸部直径規格のネジ釘２０だけしか使用することができず、さもなければ円形孔壁１２の端部がネジ釘２０を差し込んだ時、破裂してしまう危険性があり、一種の軸部直径規格のネジ釘２０には特定の金型を作成して適用する連結雌ネジ釘１０を設置しなければならず、現在のネジ釘２０の軸部直径規格が非常に多くなり、そのため、金型の製造コストがかさんでしまう。
【先行技術文献】
【特許文献】
【０００５】
【特許文献１】特開平１１−１１７４５０号公報
【考案の概要】
【考案が解決しようとする課題】
【０００６】
解決しようとする問題点は、ネジ釘を使用する際、連結雌ネジ釘から容易に脱落しやすい点の解消、及び一種の桿直径規格のネジ釘には特定の金型を製作して適用する連結雌ネジ釘１０を設置しなければならないため、金型の製造コストがかさんでしまう点の解決である。
【課題を解決するための手段】
【０００７】
本考案は、連結雌ネジ釘にネジ釘を差し込む雌ネジ孔を複数個設置し、該雌ネジ孔は、下向きに円形孔壁が延長形成され、該円形孔壁の端部には下から上に向けて幅を縮小した内向凹形円弧壁が複数設置され、該複数の内向凹形円弧壁が囲んで形成する空間の径は差し込むネジ釘軸部直径より小さい。該内向凹形円弧壁によって、ねじ込まれた釘対して反発する弾性を備えた夾持部を構成し、該複数の内向凹形円弧壁によってネジ釘をしっかりと挟持し、ネジ釘を連結雌ネジ釘に対して安定して固定することを最も主要な特徴とする。
【考案の効果】
【０００８】
本考案の連結雌ネジ釘構造は、ネジ釘を連結雌ネジ釘に対して安定してしっかりと結合し、後続のネジ止め作業をスムーズにする。また、金型の製作を減らし、製造コストを下げるという利点がある。
【図面の簡単な説明】
【０００９】
【図１】公知の連結雌ネジ釘の斜視図である。
【図２】公知連結雌ネジ釘の俯瞰図である。
【図３】図２のI-I断面図及び雌ネジ孔内にネジ釘を設置指示図である。
【図４】本考案の斜視図一である。
【図５】本考案の斜視図二である。
【図６】本考案の俯瞰図である。
【図７】図６のII-II断面図である。
【図８】図６のII-II断面図及び雌ネジ孔内にネジ釘を設置した指示図である。
【図９】図８のIII-III断面図である。
【考案を実施するための形態】
【００１０】
上述の公知連結雌ネジ釘の欠点を改善して、ネジ釘を更に安定して結合する連結雌ネジ釘構造を提供することを本考案の目的とする。
【００１１】
上述の目的を達成するため、本考案の連結雌ネジ釘は、プラスチック材で成型した帯状体からなり、該連結雌ネジ釘上には等間隔でネジ釘を差し込む雌ネジ孔を複数設置し、該雌ネジ孔は下向きに円形孔壁があり、該円形孔壁上には上から下へ延長したスリットが複数設置される。
【００１２】
その特徴として、該円形孔壁端部には、該孔壁内方に向かって突出して形成されると共に下方から上方に向けて幅を縮小した内向凹形円弧壁が複数設置され、複数の内向凹形円弧壁で取り囲んで形成する空間の径は、差し込むネジ釘の桿直径より小さい。該内向凹形円弧壁により挿入された釘に対して外方向けて反発する弾性を備えた夾持部を構成して、該複数の内向凹形円弧壁がネジ釘をしっかりと挟持して、ネジ釘を更に連結雌ネジ釘に対して安定して結合する。
【実施例】
【００１３】
本考案の目的達成のための技術手段及びその構造について、再び図４から図９に示す実施例で詳細を説明する。
【００１４】
図４から図７に示すとおり、実施例中の連結雌ネジ釘３０は、プラスチック材で成型された帯状体で、該連結雌ネジ釘３０には等距離でネジ釘４０を差し込むための雌ネジ孔３１を複数個設置する。該雌ネジ孔３１は、円形孔壁３２が下向きに伸び、該円形孔壁３２には上から下へ伸びるスリット３３が複数個設置される。
【００１５】
その特徴として、該円形孔壁３２端部には、下から上に向かって小さくなる内向凹形円弧壁３４を複数設置し、並びに該複数の内向凹形円弧壁３４が囲む空間は受け入れるネジ釘４０軸部直径より小さくする。これらにより、図８、９に示すとおり、該内向凹形円弧壁３４は外向きに拡大する力に対して反発する弾性を備えた夾持部を形成し、該複数の内向凹形円弧壁３４によってネジ釘４０がしっかりと挟持され、ネジ釘４０を連結雌ネジ釘３０に対して安定してしっかりと結合し、後続のネジ止め作業をスムーズにする。
【００１６】
同時に、内向凹形円弧壁３４によって円形孔壁３２の端部に外向きに拡張する弾性を備える。そのため、ネジ釘４０を差し込む時に割れてしまう欠点を防止する他に、更に異なる軸部直径規格のネジ釘４０を挿し込むことを可能とし、これらの異なる径のネジ釘に対する金型の製作点数を減らし、製造コストを下げる。
【００１７】
また、該円形孔壁３２の内孔壁上半部には上から下へ伸びる凸条３５を複数設置し、該複数の凸条３５によって、ネジ釘４０が更に安定して結合する連結雌ネジ釘３０を提供する。
【００１８】
上述及び図式に示す実施例でわかるとおり、本考案によって現在の一般の連結雌ネジ釘の欠点を改善し、ネジ釘を更に安定して結合する連結雌ネジ釘構造を提供する。本考案には明らかな進歩性があり、且つ未出のものであるため、実用新案登録の要件に符号する。
【００１９】
以上は、本考案の実行可能な実施例であり、該実施例は主に本考案の目的のために運用する技術手段及びその構造を例に過ぎない。依って、本考案の請求範囲を制限するものではなく、本考案の説明書及び請求範囲と同じ効果の変化もしくは修飾はすべて本考案の範囲に属する。
【符号の説明】
【００２０】
１０        連結雌ネジ釘
１１        雌ネジ孔
１２        円形孔壁
１３        スリット
２０        ネジ釘
３０        連結雌ネジ釘
３１        雌ネジ孔
３２        円形孔壁
３３        スリット
３４        内向凹形円弧壁
３５        凸条
４０        ネジ釘
【図１】
0003159941.tif 000003
【図２】
0003159941.tif 000004
【図３】
0003159941.tif 000005
【図４】
0003159941.tif 000006
【図５】
0003159941.tif 000007
【図６】
0003159941.tif 000008
【図７】
0003159941.tif 000009
【図８】
0003159941.tif 000010
【図９】
0003159941.tif 000011